(57)【要約】【課題】タワーノズル３９の噴射口から噴射される洗浄水の噴射反力は回転中心から非常に近い距離で発生するため、発生する回転モーメントも小さく、洗浄ノズル７の回転のためだけに噴射される洗浄水が多くなり、食器に噴射する洗浄水の量が減る。【解決手段】洗浄ポンプ６から供給される洗浄水の水圧の変化により複数の流路を切り換える弁体２３は、回転軸１４内に設けられて洗浄ノズル７とともに回転し、タワーノズル３９の流路は、洗浄ノズル７の複数の流路のうち一つの流路と連通することで、洗浄ノズル７の複数の流路のうちの一つと連通する流路を持つタワーノズル３９からの噴射時には、洗浄ノズル７からも洗浄水を噴射することで洗浄ノズル７自体を回転させながら、洗浄ノズル７及びタワーノズル３９から洗浄水を噴射させることができる。【選択図】図１
2011224232.tif 000002
【特許請求の範囲】
【請求項１】
被洗浄物を収容する洗浄槽と、洗浄水を加圧する洗浄ポンプと、前記洗浄槽内に設けられるとともに前記洗浄ポンプで加圧された洗浄水を被洗浄物に噴射する洗浄ノズルと、前記洗浄ノズルの略中央部に鉛直上方に突出して設けられるタワーノズルと、を備え、
前記洗浄ノズルは、前記洗浄ノズルを前記洗浄槽に回転可能に支持する回転軸と、前記回転軸と連通するとともに複数の噴射口がそれぞれに設けられる複数の流路と、を有し、
前記洗浄ポンプから供給される洗浄水の水圧の変化により前記複数の流路を切り換える弁体は、前記回転軸内に設けられて前記洗浄ノズルとともに回転し、前記タワーノズルから洗浄水が噴射される場合は、前記洗浄ノズルの複数の流路のうち少なくとも一つの流路から洗浄水が噴射されて前記洗浄ノズルが回転する食器洗い機。
【請求項２】
前記タワーノズルの噴射口の総開口面積は、連通する前記洗浄ノズルの一つの流路の噴射口の総開口面積より大きくした請求項１に記載の食器洗い機。
【請求項３】
前記タワーノズルは、複数の噴射口をそれぞれ備える複数の流路を有し、前記タワーノズルの複数の流路は、前記洗浄ノズルの複数の流路とそれぞれ連通する請求項１又は２に記載の食器洗い機。
【請求項４】
前記タワーノズルの流路の入口は、一部が弁体により閉口される請求項３に記載の食器洗い機。
【請求項５】
前記弁体は、前記回転軸の内壁底部に、螺旋状に形成され、１方向へ傾斜した複数の傾斜面と、前記傾斜面同士をつなぐ複数の段部を有している回転軸側係合部に対して、同方向、略同角度に傾斜した螺旋状の下面係合部を有した請求項３又は４に記載の食器洗い機。
【請求項６】
前記タワーノズル及び前記洗浄ノズルは、噴射口の総開口面積が互いに異なる２個の流路を有しており、前記タワーノズルの噴射口の総開口面積がより小さい流路に洗浄水が供給される場合には、前記洗浄ノズルの噴射口の総開口面積がより大きい流路に洗浄水が供給される請求項３〜５のいずれか１項に記載の食器洗い機。
【請求項７】
前記タワーノズルは、４個の流路を有し、前記弁体の切り換えにより、対向する流路の噴射口から洗浄水が噴射される請求項３〜６のいずれか１項に記載の食器洗い機。
【請求項８】
前記タワーノズルの噴射口の噴射方向と、前記洗浄ノズルの噴射口の噴射方向は、互いの噴射口から噴射される洗浄水が衝突しないように配置される請求項１〜７に記載の食器洗い機。
【発明の詳細な説明】
【技術分野】
【０００１】
本発明は、洗浄水を用いて食器等を洗浄する食器洗い機に関するものである。
【背景技術】
【０００２】
従来、この種の食器洗い機は、図１８に示すような構成であった（例えば、特許文献１参照）。以下、その構成について説明する。図に示すように、食器類を収納する食器かご５１と、この食器かご５１を載置する洗浄槽５２と、洗浄水を圧送する洗浄ポンプ５３と、圧送された洗浄水を洗浄槽５２の底面付近で回転しながら噴射する複数のノズル孔を有する洗浄ノズル５４と、洗浄ノズル５４の略中央部から上方に伸びた固定ノズル孔を有するタワーノズル５５と、前記洗浄ノズル５４への送水とタワーノズル５５への送水を切り換える分水切換手段５６とを設けることで、洗浄ノズル５４への送水と、タワーノズル５５への送水とを分割し、各々個別に運転できるようにしたので、洗浄ノズル５４とタワーノズル５５での洗い工程に必要な使用水量を抑えることができ、洗浄効率を向上させることができる。
【先行技術文献】
【特許文献】
【０００３】
【特許文献１】特開２００８−７３１３１号公報
【発明の概要】
【発明が解決しようとする課題】
【０００４】
しかしながら、従来の食器洗い機では、タワーノズル噴射時にも洗浄ノズルを回転させる必要があるが、タワーノズルが略中央部に設けてあるため、タワーノズルの噴射口から噴射される洗浄水の噴射反力は回転中心から非常に近い距離で発生するため、発生する回転モーメントも小さく、洗浄ノズルの回転のためだけに噴射される洗浄水が多くなり、食器に噴射する洗浄水の量が減るという課題があった。
本発明は、前記従来の課題を解決するもので、洗浄ノズル内に設けた複数の流路を弁体で切換えながら、洗浄ノズルの複数の流路のうちの一つと連通する流路を持つタワーノズルからの噴射時には、洗浄ノズルからも洗浄水を噴射することでその噴射の反力により洗浄ノズル自体を回転させながら、洗浄ノズル及びタワーノズルから洗浄水を噴射させることができるので、節水を図りながら、回転するタワーノズルにより被洗浄物を確実に洗浄することができる食器洗い機を提供することを目的とする。
【課題を解決するための手段】
【０００５】
前記従来の課題を解決するために、被洗浄物を収容する洗浄槽と、洗浄水を加圧する洗浄ポンプと、洗浄槽内に設けられるとともに洗浄ポンプで加圧された洗浄水を被洗浄物に噴射する洗浄ノズルと、洗浄ノズルの略中央部に鉛直上方に突出して設けられるタワーノズルと、を備え、洗浄ノズルは、洗浄ノズルを洗浄槽に回転可能に支持する回転軸と、回転軸と連通するとともに複数の噴射口がそれぞれに設けられる複数の流路と、を有し、洗浄ポンプから供給される洗浄水の水圧の変化により複数の流路を切り換える弁体は、回転軸内に設けられて洗浄ノズルとともに回転し、タワーノズルから洗浄水が噴射される場合は、洗浄ノズルの複数の流路のうち少なくとも一つの流路から洗浄水が噴射されて洗浄ノズルが回転するものである。
【０００６】
これによって、洗浄ノズル内に設けた複数の流路を弁体で切換えながら、洗浄ノズルの複数の流路のうちの一つと連通する流路を持つタワーノズルからの噴射時には、洗浄ノズルからも洗浄水を噴射することで洗浄ノズル自体を回転させながら、洗浄ノズル及びタワ
ーノズルから洗浄水を噴射させることができるので、節水を図りながら、回転するタワーノズルにより被洗浄物を確実に洗浄することができる。
【発明の効果】
【０００７】
本発明の食器洗い機は、洗浄ノズル内に設けた複数の流路を弁体で切換えながら、洗浄ノズルの複数の流路のうちの一つと連通する流路を持つタワーノズルからの噴射時には、洗浄ノズルからも洗浄水を噴射することで洗浄ノズル自体を回転させながら、洗浄ノズル及びタワーノズルから洗浄水を噴射させることができるので、節水を図りながら、回転するタワーノズルにより被洗浄物を確実に洗浄することができる。
【図面の簡単な説明】
【０００８】
【図１】本発明の実施の形態１の食器洗い機の断面概略図
【図２】同食器洗い機の洗浄ノズルの平面を示す部分断面図
【図３】同食器洗い機の洗浄ノズルの一部と弁体の断面図
【図４】同食器洗い機の要部斜視図
【図５】同食器洗い機の要部斜視図
【図６】同食器洗い機の弁体近傍の断面図
【図７】同食器洗い機の弁体を上方から見た平面図
【図８】同食器洗い機の弁体を下方から見た平面図
【図９】同食器洗い機の弁体近傍の部分断面図
【図１０】同食器洗い機の弁体が第２の洗浄流路入口を閉じている場合の平面図
【図１１】本発明の実施の形態２の食器洗い機の洗浄流路及びタワーノズル流路入口の平面図
【図１２】同食器洗い機の洗浄ノズルの一部と弁体の断面図
【図１３】同食器洗い機の弁体が洗浄ノズル流路入口及びタワーノズル流路に当接している平面図
【図１４】図１３の平面図をタワーノズル側から見た断面図
【図１５】同食器洗い機のタワーノズルを上方から見た断面図
【図１６】同食器洗い機の洗浄ノズル断面図
【図１７】同食器洗い機の洗浄ノズル上方からみた平面図
【図１８】従来の食器洗い機の主要断面図
【発明を実施するための形態】
【０００９】
第１の発明は、被洗浄物を収容する洗浄槽と、洗浄水を加圧する洗浄ポンプと、洗浄槽内に設けられるとともに洗浄ポンプで加圧された洗浄水を被洗浄物に噴射する洗浄ノズルと、洗浄ノズルの略中央部に鉛直上方に突出して設けられるタワーノズルと、を備え、洗浄ノズルは、洗浄ノズルを洗浄槽に回転可能に支持する回転軸と、回転軸と連通するとともに複数の噴射口がそれぞれに設けられる複数の流路と、を有し、洗浄ポンプから供給される洗浄水の水圧の変化により複数の流路を切り換える弁体は、回転軸内に設けられて洗浄ノズルとともに回転し、タワーノズルから洗浄水が噴射される場合は、洗浄ノズルの複数の流路のうち少なくとも一つの流路から洗浄水が噴射されて洗浄ノズルが回転する食器洗い機である。この構成により、洗浄ノズル内に設けた複数の流路を弁体で切換えながら、洗浄ノズルの複数の流路のうちの一つと連通する流路を持つタワーノズルからの噴射時には、洗浄ノズルからも洗浄水を噴射することで洗浄ノズル自体を回転させながら、洗浄ノズル及びタワーノズルから洗浄水を噴射させることができるので、節水を図りながら、回転するタワーノズルにより被洗浄物を確実に洗浄することができる。
【００１０】
第２の発明は、第１の発明において、特に、タワーノズルの噴射口の総開口面積は、連通する洗浄ノズルの一つの流路の噴射口の総開口面積より大きくするようにした食器洗い機である。ここで、タワーノズル及び洗浄ノズルの一つの流路の噴射口の総開口面積とは
それぞれ、タワーノズル及び洗浄ノズルの一つの流路に複数設けられた噴射孔の開口部面積を合計した面積である。この構成により、タワーノズルからの洗浄水の噴射量を多くすることで、タワーノズルと連通していない洗浄ノズルの流路から洗浄水が噴射する時間、つまりタワーノズルから洗浄水が噴射していない時間をカバーするものである。タワーノズルで食器等の被洗浄物を洗浄するので、洗浄性能が向上するものである。
【００１１】
第３の発明は、第１又は第２のいずれか一つの発明において、特に、タワーノズルは、複数の噴射口をそれぞれ備える複数の流路を有し、タワーノズルの複数の流路は、洗浄ノズルの複数の流路とそれぞれ連通する食器洗い機である。この構成により、タワーノズルの噴射口の噴射位置や噴射形状、数を変えることで、タワーノズルからの噴射パターンも増加し、洗浄性能を向上させることができる。
【００１２】
第４の発明は、特に、第３の発明において、特に、タワーノズルの流路の入口は、一部が弁体により閉口される食器洗い機である。この構成により、洗浄水の水圧に連動して、弁体が下降する場合、流路の入口に逆流、つまり下方に落ちてくる洗浄水の力により、弁体がより早く下降する。したがって、弁体の軽量化、小型化が可能となり、弁体の切り換えの信頼性も向上することで、洗浄ノズルも小型になるとともに、洗浄性能も向上させることができる。また、切り換え時における時間のロスを最小限にすることができる。
【００１３】
第５の発明は、特に、第３又は第４のいずれか一つの発明において、特に、弁体は、回転軸の内壁底部に、螺旋状に形成され、１方向へ傾斜した複数の傾斜面と、傾斜面同士をつなぐ複数の段部を有している回転軸側係合部に対して、同方向、略同角度に傾斜した螺旋状の下面係合部を有した食器洗い機である。この構成により、洗浄水の水圧に連動して、弁体が下降する場合、流路の入口に逆流、つまり下方に落ちてくる洗浄水の力により、弁体の下面係合部が回転軸側係合部と擦動しながら、回転落下するための回転モーメントが大きくなる。したがって、弁体の軽量化、小型化が可能となり、弁体の切り換えの信頼性も向上することで、洗浄ノズルも小型になるとともに、洗浄性能も向上させることができる。また、切り換え時における時間のロスを最小限にすることができる。
【００１４】
第６の発明は、特に、第３〜第５のいずれか１つの発明のタワーノズル及び洗浄ノズルは、噴射口の総開口面積が互いに異なる２個の流路を有しており、タワーノズルの噴射口の総開口面積がより小さい流路に洗浄水が供給される場合には、洗浄ノズルの噴射口の総開口面積がより大きい流路に洗浄水が供給される食器洗い機である。この構成により、洗浄ノズルとタワーノズルのトータルの噴射口の開口面積を略同じにすることで、洗浄ポンプにより循環する流量を一定にしながら、流路の選択によって、高圧の噴流で洗い、また、圧力は低いが流量の多い噴流で洗うことが可能となり、食器等被洗浄物に対して、様々な洗い方ができるものである。したがって、洗浄効率および洗浄性能を向上させることができる。
【００１５】
第７の発明は、特に、第３〜第６のいずれか１つの発明のタワーノズルは、４この流路を有し、弁体の切り換えにより、対向する流路の噴射口から噴射する構成とする食器洗い機である。この構成により、タワーノズルの噴流による噴射反力が働く方向も対向させ、洗浄ノズルの回転時のバランスを容易に取ることができる。したがって、安定して洗浄ノズルが回転することで、信頼性が向上するとともに、洗浄性能も向上するものである。
【００１６】
第８の発明は、特に、第１〜第７のいずれか１つの発明のタワーノズルの噴射口の噴射方向と、洗浄ノズルの噴射口の噴射方向は、互いの噴射口から噴射される洗浄水が衝突しないように配置される食器洗い機である。この構成により、洗浄槽に設置された食器などの被洗浄物に対して、広範囲に、満遍なく洗浄水を供給することができる。したがって、洗い残しが少なくなることで、洗浄性能の向上が図れる。
【００１７】
以下、本発明の実施の形態について、図面を参照しながら説明する。なお、本実施の形態によって本発明が限定されるものではない。
【００１８】
（実施の形態１）
図１は、実施の形態１の食器洗い機の断面概略図、図２は同食器洗い機の洗浄ノズルの平面を示す部分断面図、図３は、同食器洗い機の洗浄ノズルの一部と弁体の断面図である。
図１から図６において、食器洗い機本体１の内部には、扉で開閉可能な開口部を有する洗浄槽２が設けられ、食器等の被洗浄物３は上段食器かご（図示せず）及び下段食器かご４にセットされ、洗浄槽２内に収容する。給水弁５は、制御手段（図示せず）により開閉され、洗浄槽２に洗浄水として水道水を供給する。
【００１９】
図１に示すように、洗浄ポンプ６は、洗浄槽２の底面外壁に密着して取付けられ、洗浄水を加圧して、洗浄ノズル７に供給し、洗浄ノズル７上の複数の噴射口から洗浄水を噴射することで被洗浄物３の洗浄を行なう。被洗浄物３に噴射される洗浄水には、被洗浄物を洗浄するための洗浄液と、被洗浄物をすすぐためのすすぎ水とが含まれる。
【００２０】
また、洗浄槽２の底部には、洗浄ポンプ６の吸い込み側と連通した排水口８を有し、この排水口８には残さいを収集する排水フィルター９と、排水フィルター９よりも細かい開孔部を持つ残さいフィルター１０を備えている。残さいフィルター１０は、着脱自在で、取り外して収集した残さいを廃棄することができるようになっている。
【００２１】
また、洗浄水の加熱用の加熱手段１１が洗浄槽２の底面上に設けられ、洗浄槽２の温度を検知する温度センサ１２が洗浄槽２の底面外壁に設けられている。
【００２２】
また、図１及び図３などに示すように、回転軸受１３は、洗浄槽２の底部から上方に突出して形成された中空の筒であり、洗浄ノズル７の回転軸１４が嵌められる。洗浄ノズル７は、回転軸１４が回転軸受１３に嵌められることにより、洗浄槽２の底部に回転自在に設けられる。つまり、回転軸１４は回転軸受１３に回転自在に支持されている。また、回転軸１４の内部には、洗浄水が通過する流路が備えられている。
【００２３】
さらに、図１及び図２に示すように、洗浄ノズル７の内部には、回転軸１４を中心にして点対称に、複数の流路が形成されている。複数の流路は具体的には第１の洗浄ノズル流路１５と第２の洗浄ノズル流路１６であり、第１及び第２の洗浄ノズル流路１５、１６はともに、回転軸１４を中心にしてその両側に反対方向へ直線的かつ水平に延設され、回転軸１４部分から先端部分に向かって並行に延びる対称な複数の流路として形成されている。
【００２４】
図２に示すように、回転軸１４の流路は、略十字状のリブにより互いに隔てられている第１の洗浄流路入口１７及び第２の洗浄流路入口１８を介し、第１及び第２の洗浄ノズル流路１５、１６のそれぞれと連通している。第１の洗浄ノズル流路１５及び第２の洗浄ノズル流路１６は、それぞれ第１の噴射口１９と第２の噴射口２０を有している。第１の噴射口１９と第２の噴射口２０とは、それぞれ一列で複数の噴射口から構成されている。
第１の洗浄流路入口１７及び第２の洗浄流路入口１８はそれぞれ、中心角が略９０度の扇状の開口部を２つの対角に有している。
【００２５】
次に、図４、５は、実施の形態１の食器洗い機の要部斜視図、具体的には回転軸１４近傍の斜視図で、図６は、同食器洗い機の弁体近傍の断面図、図７は、同食器洗い機の弁体を上方から見た平面図、図８は、同食器洗い機の弁体を下方から見た平面図、図９は、同
食器洗い機の弁体近傍の部分断面図、図１０は、同食器洗い機の弁体が第２の洗浄流路入口を閉じている場合の平面図である。
【００２６】
図４に示すように、回転軸１４は内壁下部に回転軸側係合部３０を有している。回転軸側係合部３０は螺旋状に形成され、１方向へ傾斜した複数の傾斜面３０ａと、傾斜面３０ａ同士をつなぐ複数の段部３０ｂを有している。
【００２７】
図３および図４に示す回転軸１４の軸開口部２６は、洗浄ポンプ６の吐出側と連通しており、洗浄ポンプ６がモータにより回転することにより、軸開口部２６を介し洗浄水が連続的に供給されるようになっている。
【００２８】
図６〜図８に示すように、弁体２３は、略直角の切り欠き部である開口部２４と略直角の平端部を有する閉口部２５を、中心点を対称に２個づつ有しており、さらに回転軸１４内に配置されている。回転軸１４内に設けられた弁体２３は、回転中心に下方に突出する中空円筒部３２を有し、開口部２４および閉口部２５のそれぞれを中空円筒部３２を中心にして対角に有している。また、図９に示したように、洗浄ノズル７の洗浄流路入口側には、下方に突出して支持軸３１が形成されており、中空円筒部３２に挿入されている。弁体２３が上昇する際に、支持軸３１が弁体２３の上昇動作のガイド部となる。支持軸３１は、断面が十字のリブで構成されてもよい。十字状のリブで構成されることで、中空円筒部３２との間に空間ができ、流入する異物を中空円筒部３２外へ排出し易くなる。
【００２９】
図７〜図９に示すように、開口部２４および閉口部２５はそれぞれ、中空円筒部３２を略中心に、中心角が略９０度の扇形状部が２個対角に形成されている。閉口部２５の中空円筒部３２側の上面には山型の上面係合部２８が形成され、閉口部２５の外周縁近傍の下面には傾斜する下面係合部２９が形成されている。
【００３０】
また、洗浄ポンプ６の駆動時には上面係合部２８と十字状に構成された洗浄ノズル流路入口の流路を仕切る隔壁とが摺動することで回動し、洗浄ポンプ６停止時には下面係合部２９と回転軸側係合部３０とが摺動することで回動する。弁体２３による流路の切り換えは、洗浄ポンプ６の駆動停止動作で行う実施の形態について説明を行ったが、洗浄ポンプ６の回転数を変化させることで洗浄水の水圧を変化させて行ってもよい。
【００３１】
回転軸１４の軸開口部２６は、洗浄ポンプ６の吐出側と連通しているので、連続的に洗浄水を供給できるようになっている。
【００３２】
また、タワーノズル３９は、洗浄ノズル７の略中央部に鉛直上方向に突出して設けられ、第１の洗浄ノズル流路１５もしくは第２の洗浄ノズル流路１６のいずれか一方に連通するタワーノズル流路２１を有している。本実施の形態では、図３に示したように、第１の洗浄ノズル流路１５と連通している場合で説明する。第１の洗浄流路入口１７からタワーノズル流路２１と第１の洗浄ノズル流路１５に分岐しており、タワーノズル流路２１は、第２の洗浄ノズル流路１６とは連通していない。
【００３３】
上記構成において、まず、食器洗い機の基本動作について説明する。食器等の被洗浄物３を食器かご４にセットして洗浄槽２に収納し、洗剤を投入した後、扉により食器洗い機本体１の開口部を閉塞し、運転を開始する。被洗浄物３の汚れを落とす洗浄工程、付着した洗剤や残さいを流すすすぎ工程、そして被洗浄物３に付着している水適を乾燥させる乾燥工程の順に実行する。
【００３４】
まず、給水弁５を動作して所定量の水道水を洗浄水として洗浄槽２に給水し、つづいて洗浄ポンプ６により洗浄水を加圧し、洗浄ノズル７及びタワーノズル３９の少なくともい
ずれか一方から洗浄水を噴射する。この際、洗浄槽２内の底面上に設けられたシーズヒータ等の加熱手段１１は通電されており、洗浄水を加熱しながら洗浄工程は行われる。また、温度センサ１２は洗浄槽２の洗浄水の温度を検知しており、所定温度以上になると加熱手段１１への通電を停止するように制御される。
【００３５】
洗浄水の循環は、排水フィルター９と残さいフィルタ１０を通過し、洗浄ポンプ６に吸いこまれ、洗浄ポンプ６より洗浄槽２の内底部に設けられる洗浄ノズル７に向けて供給される。洗浄ポンプ６より圧送された洗浄水は、回転軸１４の軸開口部２６から回転軸１４内に流入する。弁体２３は、洗浄ポンプ６の駆動により流入した洗浄水の水圧で、上昇を始め、上昇途中から回転運動も始めて、第１の洗浄流路入口１７と弁体２３の開口部２４が一致し、つまり、第２の洗浄流路入口１８を弁体２３の閉口部２５で閉塞する。この際、第１の洗浄流路入口１７から流入した洗浄水は、第１の洗浄ノズル流路１５を通過して、第１の噴射口１９から洗浄水を被洗浄物３に噴射するとともに、洗浄ノズル７がタワーノズル３９とともに回転する。それと同時に、第１の洗浄ノズル流路入口１７で分流した洗浄水は、タワーノズル流路２１を通過して、タワーノズル噴射口４０から洗浄水を噴射し、上段食器かごに配置された被洗浄物に洗浄水を下方から噴射して、下段食器かご４に配置された被洗浄物には洗浄水を上方から噴射して、被洗浄物を洗浄する。なお、本実施の形態では、タワーノズル流路２１と第１の洗浄ノズル流路１５とが連通している形態について説明を行ったが、両流路が隔壁で互いに隔てられている場合でも第１の洗浄ノズル流路入口１７をタワーノズル流路２１用の入口と第１の洗浄ノズル流路１５用の入口とに分割させて、タワーノズル３９から洗浄水を噴射する際に第１の洗浄ノズル流路１５からも噴射させることもできる。
【００３６】
所定の噴射時間が終わると、制御手段により、洗浄ポンプ６を停止させ、所定の時間後、駆動させ、弁体２３を、第２の洗浄流路入口１８を開口するように、弁体２３の開口部２４と一致させる。第２の洗浄ノズル流路１６を通過した洗浄水は、第２の噴射口２０より、被洗浄物３に向けて噴出される。この際、タワーノズル流路２１と第１の洗浄ノズル流路１５とは連通していないため、各噴射口からは洗浄水は噴射されない。この切換動作を所定時間繰り返す。
【００３７】
この際、弁体２３の構成と切り換え動作、作用について説明する。図５〜図９に示すように、弁体２３は略平面形状をしており、第１および第２の洗浄流路入口１７、１８を構成するとともに弁体２３と密着する面Ａも、平面形状としている。洗浄ポンプ６を運転させた場合、弁体２３は、回転軸１４の軸開口部２６より流入した洗浄水の水圧を閉口部２５で受けて、上昇を始める。そして、図６に示す上面係合部２８の傾斜部分が、洗浄ノズル７内に流路を隔てるために設けられた十字状の隔壁に摺動して、弁体２３は回転しながら略鉛直上方向に上昇し、図５に示すように、弁体２３の閉口部２５が第２の洗浄流路入口１８に対向して閉塞し、開口部２４が第１の洗浄流路入口１７に対向して開成する。
【００３８】
所定時間洗浄ポンプ６が運転を続け、第１の洗浄流路入口１７が開口する位置で弁体２３が固定され、第１の洗浄流路入口１７と連通した第１の洗浄ノズル流路１５に洗浄水が供給される。このとき、弁体２３は洗浄ノズル７とともに回転している。図５に示すように、弁体２３を洗浄水が通過する位置に設けた開口部２４が、所定の洗浄流路入口と一致するように、上面係合部２８を設けている。
【００３９】
上面係合部２８は回転方向に傾斜した形状になっており、弁体２３は、上昇しながら上面係合部２８の傾斜により第１の所定角度（例えば、４５度）だけ回転する。続いて、洗浄ポンプ６を一旦停止すると、弁体２３を下方から押し上げていた水圧が作用しなくなることから、弁体２３はその自重で降下する。この際、下面係合部２９は、図４に示す、回転軸１４に設けられた回転軸側係合部３０の傾斜面３０ａに沿って摺動し、弁体２３は、
第２の所定角度（例えば、４５度）回転しながら降下する。弁体２３の下面係合部２９の下面と回転軸側係合部３０とが段部３０ｂで当接すると、弁体２３は停止する。
【００４０】
再び、洗浄ポンプ６を運転すると、上面係合部２８は、次の嵌合部と係合し、弁体２３は回転しながら上昇し、次の洗浄流路入口である第２の洗浄流路入口１８に洗浄水が供給される。このように、洗浄ポンプ６を断続的に運転することで、洗浄水が流れる洗浄流路入口１７、１８を順次切り換えることができる。
【００４１】
つまり、弁体２３は、進退動作、すなわち、上下の往復運動を１回することにより９０度回動し、第１および第２の洗浄流路入口１７、１８を切り換える分、回転する。そして、弁体２３が４回上下の往復運動をすることにより、元の位置に戻る。したがって、モータ等のアクチュエータで、弁体２３を切り換える必要がないので、回転軸１４の流路内には、弁体２３以外には、洗浄水の流れを妨げるものがなく、更に、洗浄ノズル７と弁体２３がともに回転することが可能になる。
【００４２】
弁体２３は、洗浄ノズル７の流路を切り換えると、洗浄流路入口と密着した状態で、洗浄ノズル７とともに、回転するものである。洗浄水は、洗浄ノズル７の噴射口から噴射され、被洗浄物３を洗浄した後、再び排水口８に戻るという経路で行われる。この際、被洗浄物３から脱落した残さい等は、洗浄水とともに残さいフィルタ１０に流入し、フィルタを通過できない大きさの残さいは残さいフィルタ１０に捕集される。
【００４３】
所定時間の洗浄工程を終えると、汚れを含む洗浄水は機外に排出され、新たに洗浄水が供給される。洗浄ポンプ６を運転し、洗浄ノズル７やタワーノズル３９から再び洗浄水を噴射して、洗剤や残菜等の付着した被洗浄物３のすすぎを行う。所定時間運転した後、洗浄水を排出し、再び洗浄水を供給するという動作を繰り返し、このすすぎ工程は連続して３回程度行う。最後に、洗浄水を食器洗い機本体１外に排出して、すすぎ工程は終了する。
【００４４】
つづいて乾燥工程を行い、所定時間運転した後、運転を終了する。
【００４５】
このように、洗浄ノズル７内に設けた複数の流路を弁体２３で切換えながら、タワーノズル３９から洗浄水を噴射する時には、常に、洗浄ノズル７からも洗浄水が食器へ向けて噴射されるので、洗浄ノズル７の回転を維持しながら、洗浄ノズル７から噴射される水量を抑えて、タワーノズル３９の複数の噴射口からの噴流によって洗浄性能を高めることができる。
【００４６】
また、タワーノズルの噴射口４０の総開口面積は、連通した洗浄ノズル７の噴射口の総開口面積より大きくした構成にすることで、タワーノズル３９からの洗浄水の噴射量が開口部の圧力損失が減ることで、多くすることが可能となる。タワーノズル３９と連通していない洗浄ノズル７の流路から洗浄水が噴射する際のタワーノズル３９から噴射されない時間があるが、噴射量を増やすことで、洗浄力をカバーするものである。タワーノズル３９で食器等の被洗浄物を洗浄するとともに、洗浄ノズル７の噴射口は、多く設けられるので、洗浄性能が向上するものである。
【００４７】
（実施の形態２）
図１１は、実施の形態２の食器洗い機の洗浄流路及びタワーノズル流路入口２２の平面図、図１２は、同食器洗い機の洗浄ノズル７の一部と弁体２３の断面図、図１３は、同食器洗い機の弁体２３が洗浄ノズル流路入口及びタワーノズル流路２１に当接している平面図、図１４は、図１３の平面図をタワーノズル３９側から見た断面図、図１５は、同食器洗い機の洗浄ノズル７断面図、図１６は、同食器洗い機のタワーノズル３９を上方から見
た断面図である。
【００４８】
図１１、１２に示すように、タワーノズル３９は、複数の噴射口を備えた流路をそれぞれ２個有する第１及び第２のタワーノズル流路３３、３４を有する。第１のタワーノズル流路３３は、第１の洗浄ノズル流路１５と流路の入口が共用で、流路は連通し、同じタイミングで洗浄水が供給される。第２のタワーノズル流路３４は、第２の洗浄ノズル流路１６と流路の入口が共用で、流路は連通し、同じタイミングで洗浄水が供給される。また、洗浄ノズル流路入口とタワーノズル流路入口２２が別々でも、洗浄ノズル流路とタワーノズル流路が洗浄ノズル７内で連通していてもよい。他の構成は、実施の形態１と同様である。
【００４９】
動作を説明する。洗浄ポンプ６の駆動及び停止などにより、弁体２３が流路を切り換えると、それぞれ軸開口部２６から供給された洗浄水が洗浄ノズル７とタワーノズル３９の噴射口から噴射され、所用時間動作後、洗浄ポンプ６の駆動停止などにより、弁体２３が他方の洗浄ノズル７の流路とタワーノズル３９の流路から洗浄水を噴射するものである。
【００５０】
タワーノズル３９の噴射口の噴射位置や噴射形状、数を変えることが可能となり、洗浄ノズル７側との組み合わせを含めて、タワーノズル３９からの噴射パターンは増加し、洗浄性能を向上させることができる。また、タワーノズル３９からは常に洗浄水を噴射することができるので、更に、洗浄性能が向上する。
【００５１】
また、第１のタワーノズル流路入口３５と第２のタワーノズル流路入口３６は、弁体２３による流路の切換え動作の中で、タワーノズル流路入口の開口部側の一部が弁体２３により、閉口される構成としている。図１３、１４で示したように、洗浄ポンプ６からの水圧を受けて、弁体２３が回動して、流路を切り換え、第１の洗浄流路入口１７と第１のタワーノズル流路入口３５から洗浄水を洗浄ノズル７に供給する際、弁体２３の開口部２４の一部が第１のタワーノズル流路入口３５の一部を閉口する。閉口された部分を斜線で示す。この状態で所定時間、運転した後、流路を切換えるために、洗浄ポンプ６を停止し、もしくは、洗浄ポンプ６のモータの回転数を下げ、弁体２３にかかる水圧を減らし、弁体２３を各流路入口から離して、下降させる。その際、タワーノズルの流路に供給されていた洗浄水が、第１のタワーノズル流路入口３５側に流れるため、弁体２３の平面Ｂ部が洗浄水から下方に力を受ける。
【００５２】
したがって、洗浄ポンプ６の駆動停止などで、上下に回動しながら、流路を切り換える弁体２３において、下方に動作する場合、流路の入口にタワーノズル流路２１からの逆流、つまり下方に落ちてくる洗浄水の力により、弁体２３がより早く下降する。
【００５３】
したがって、弁体２３の軽量化、小型化が可能となり、弁体２３の切り換えの信頼性も向上することで、洗浄ノズル７も小型になるとともに、洗浄性能も向上させることができる。また、切り換え時における時間のロスを最小限にすることができる。
【００５４】
また、図４、図５に示したように、弁体２３が、回転軸１４の内壁底部に、螺旋状に形成されるとともに１方向へ傾斜した複数の傾斜面３０ａと、傾斜面同士をつなぐ複数の段部３０ｂを有している回転軸側係合部３０に対して、同方向、略同角度に傾斜した螺旋状の下面係合部２９を有した構成としている。洗浄水の水圧に連動して、弁体２３が下降する場合、流路の入口に逆流、つまり下方に落ちてくる洗浄水の力により、弁体２３の下面係合部２９が回転軸側係合部３０と擦動しながら、回転落下するための回転モーメントが大きくなる。
【００５５】
また、回転軸側係合部３０と擦動する下面係合部２９の擦動面は、端面のＲ形状をほぼ
下面係合部２９の肉厚と同じ大きさまで取る等、回転軸側係合部３０との接触面積を極力小さくすることで、更に、回転モーメントが大きくなる。
【００５６】
また、弁体２３の下面係合部２９の内径と回転軸側係合部３０の内径を軸開口部２６の内径とほぼ同じにすることで、弁体２３の回転中心からの距離が短縮され、回転モーメントが大きくなる。
【００５７】
したがって、洗浄ノズル７も小型になるとともに、洗浄性能も向上させることができる。また、切り換え時における時間のロスを最小限にすることができる。
【００５８】
また、図１５に示したように、タワーノズル３９内の第１のタワーノズル流路３３と、第２のタワーノズル流路３４に設けられた第１のタワーノズルの噴射口３７と第２のタワーノズルの噴射口３８の総開口面積は異なり、洗浄ノズル７に設けられた第１の噴射口１９と第２の噴射口２０との総開口面積との関係で、タワーノズル３９の噴射口の開口面積が小さい方で噴射する際には、洗浄ノズル７側の噴射口は、大きい方の噴射口で、逆に、タワーノズル３９の噴射口の開口面積が大きい方で噴射する際には、洗浄ノズル７側の噴射口は、小さい方の噴射口で洗浄水を噴射する組み合わせで流路を構成している。
【００５９】
この際、各流路の噴射口の総開口面積は、例えば、図１５に示したように、第１のタワーノズルの噴射口３７の開口面積と第１の噴射口１９の開口面積の合計と、第２のタワーノズルの噴射口３８の開口面積と第２の噴射口２０の開口面積の合計は、同じにしている。
【００６０】
したがって、流路の最終開口部の面積が２つの流路で同じになるので、洗浄ポンプ６により循環する流量を、一定にしながら、流路の選択によっては、圧力の大きな噴流で洗い、また、圧力は低いが流量の多い噴流で洗えるように噴流を切り換えることで、食器等被洗浄物３に対して、様々な洗い方ができるものである。
【００６１】
したがって、洗浄効率および洗浄性能を向上させることができる。
【００６２】
また、図１５、図１６に示したように、タワーノズル３９は、内部が断面十字状の隔壁４２のよって４つの流路に分割されており、弁体２３の切り換えにより、対向する流路の噴射口である第１のタワーノズルの噴射口３７と第２のタワーノズルの噴射口３８からそれぞれ噴射する構成としてもよい。タワーノズル３９の噴射口は、図示していないが、主に、洗浄槽の上方に設けられた食器かごに設置された食器等の被洗浄物３を洗浄するために、タワーノズル３９の先端部付近つまり上方に設けている。タワーノズル３９の噴射口から噴射される噴流により、噴射の反力を洗浄ノズル７は受ける。特に、タワーノズルに設けられた噴射口は、洗浄ノズル７の下面から離れた距離に設けることになるので、傾き易くなる。この実施の形態においては図１６に示すように、各流路を切換えて噴射する際には、同時に噴射する噴射口がタワーノズル３９に対して点対称に設けている。したがって、タワーノズル３９の噴流による噴射反力が働く方向を対向させ、洗浄ノズル７の回転時のバランスを容易に取ることができる。
【００６３】
したがって、安定して洗浄ノズル７が回転し、信頼性が向上するとともに、洗浄性能も向上するものである。
【００６４】
また、図１７に示したように、タワーノズル３９の噴射口の噴射方向と、洗浄ノズル７の噴射口の噴射方向は、互いの噴射口から噴射される洗浄水が衝突しないように配置されている。この構成での動作を説明する。弁体２３が洗浄ノズル７内の流路を切換え、第１の噴射口１９と第１のタワーノズルの噴射口３７から同時に洗浄水が噴射され（矢印を実
線で表示）、所定の時間後、弁体２３が流路を切換え、第２の噴射口２０と第２のタワーノズルの噴射口３８から同時に洗浄水が噴射される。（矢印を破線で表示）所定時間運転後、再度、第１の噴射口１９と第１のタワーノズルの噴射口３７に連通した洗浄流路に弁体２３が切り換える。この切換えを繰り返し所定時間行う。この際、噴射口から噴射される洗浄水は、それぞれ噴射後に交差して衝突することがなく、洗浄槽２に設置された食器などの被洗浄物３に対して、広範囲に、満遍なく洗浄水を供給することができる。したがって、洗い残しが少なくなることで、洗浄性能の向上が図れる。
【００６５】
また、洗浄ノズル７が、流路の切り換えにより反転する構成にしてもよい。
【００６６】
洗浄ノズル７は、噴射口からの噴流の反力を利用して回転しているため、噴射口の角度は、全体的に洗浄ノズル７の回転方向と反対方向に設けている。
【００６７】
本発明は、食器洗い機の洗浄方式に関するものであり、食器洗い機本体１の形状や大きさ、食器の配置、個々の部品の配置等を限定するものではない。
【産業上の利用可能性】
【００６８】
以上のように、本発明にかかる食器洗い機は、洗浄流路を切り換えることで、多数の噴射口から洗浄水を噴射することが可能となり、洗浄性能を高めることができるので、食器洗い機として有用である。
【００６９】
更に、広範囲に、高密度で、洗浄槽全体の被洗浄物に均一に洗浄水を噴射することが可能となり、被洗浄物のセット性も向上することができる。
【符号の説明】
【００７０】
６  洗浄ポンプ
７  洗浄ノズル
９  排水フィルタ
１３  回転軸受
１４  回転軸
１５  第１の洗浄ノズル流路
１６  第２の洗浄ノズル流路
１７  第１の洗浄流路入口
１８  第２の洗浄流路入口
１９  第１の噴射口
２０  第２の噴射口
２１  タワーノズル流路
２２  タワーノズル流路入口
２３  弁体
２４  開口部
２５  閉口部
２６  軸開口部
２８  上面係合部
２９  下面係合部
３０  回転軸側係合部
３０ａ  傾斜面
３０ｂ  段部
３１  支持軸
３２  中空円筒部
３３  第１のタワーノズル流路
３４  第２のタワーノズル流路
３５  第１のタワーノズル流路入口
３６  第２のタワーノズル流路入口
３７  第１のタワーノズルの噴射口
３８  第２のタワーノズルの噴射口
３９  タワーノズル
４２  隔壁
【図１】
2011224232.tif 000003
【図２】
2011224232.tif 000004
【図３】
2011224232.tif 000005
【図４】
2011224232.tif 000006
【図５】
2011224232.tif 000007
【図６】
2011224232.tif 000008
【図７】
2011224232.tif 000009
【図８】
2011224232.tif 000010
【図９】
2011224232.tif 000011
【図１０】
2011224232.tif 000012
【図１１】
2011224232.tif 000013
【図１２】
2011224232.tif 000014
【図１３】
2011224232.tif 000015
【図１４】
2011224232.tif 000016
【図１５】
2011224232.tif 000017
【図１６】
2011224232.tif 000018
【図１７】
2011224232.tif 000019
【図１８】
2011224232.tif 000020